【手続補正書】
【提出日】平成16年9月14日(2004.9.14)
【手続補正１】
【補正対象書類名】明細書
【補正対象項目名】特許請求の範囲
【補正方法】変更
【補正の内容】
【特許請求の範囲】
【請求項１】
印刷版処理装置の排出口から送り出される印刷版を所定角度で傾斜した状態で下方移動させて集積する印刷版集積装置であって、
前記印刷版処理装置から排出される前記印刷版を下方へ向けて案内して支持するスロープと、
前記スロープ上で前記印刷版の先端に対向するフックを下方移動させることにより前記印刷版を支持しながら下方へ案内する案内移動手段と、
前記印刷版処理装置の排出口から送り出された前記印刷版の先端が前記フックに対して所定距離まで近接したときに、前記印刷版処理装置からの前記印刷版の送り出し速度よりも所定割合だけ遅い移動速度で前記フックを下方移動させる制御手段と、
を含むことを特徴とする印刷版集積装置。
【請求項２】
前記スロープの下端部に設けられたストッパによって前記スロープの下端部で前記案内移動手段の前記フックから前記印刷版の先端を受け取って支持することにより前記印刷版の下方移動を停止させて載置するフレームを含むことを特徴とする請求項１に記載の印刷版集積装置。
【請求項３】
前記印刷版が立て掛けられて集積される背板と、
前記背板に立て掛けられる前記印刷版の下端を支持する受け板と、
前記印刷版が載置されている前記フレームを前記ストッパと一体で前記背板へ回動させることにより前記印刷版の下端を前記受け板へ受渡しながら前記背板へ向けて傾倒させる揺動手段と、
を含むことを特徴とする請求項２に記載の印刷版集積装置。
【請求項４】
前記ストッパが前記印刷版の移動方向と直交する方向に沿って所定間隔で複数設けられていると共に、前記受け板に前記複数のストッパのそれぞれに対向する切欠きが形成され、前記複数のストッパが前記揺動手段によって回動されるときに前記切欠きの間を通過して、前記受け板の下方へ移動することを特徴とする請求項３に記載の印刷版集積装置。
【請求項５】
下方移動する前記フックを前記ストッパの近傍で、前記スロープの上面から退避させる退避手段を含むことを特徴とする請求項３又は請求項４に記載の印刷版集積装置。
【手続補正２】
【補正対象書類名】明細書
【補正対象項目名】０００１
【補正方法】変更
【補正の内容】
【０００１】
【発明の属する技術分野】
本発明は、印刷版処理装置から送り出される感光性平版印刷版を集積する印刷版集積装置に関する。
【手続補正３】
【補正対象書類名】明細書
【補正対象項目名】０００８
【補正方法】変更
【補正の内容】
【０００８】
【課題を解決するための手段】
上記課題を解決するための本発明は、印刷版処理装置の排出口から送り出される印刷版を所定角度で傾斜した状態で下方移動させて集積する印刷版集積装置であって、前記印刷版処理装置から排出される前記印刷版を下方へ向けて案内して支持するスロープと、前記スロープ上で前記印刷版の先端に対向するフックを下方移動させることにより前記印刷版を支持しながら下方へ案内する案内移動手段と、前記印刷版処理装置の排出口から送り出された前記印刷版の先端が前記フックに対して所定距離まで近接したときに、前記印刷版処理装置からの前記印刷版の送り出し速度よりも所定割合だけ遅い移動速度で前記フックを下方移動させる制御手段と、を含むことを特徴とする。
【手続補正４】
【補正対象書類名】明細書
【補正対象項目名】０００９
【補正方法】変更
【補正の内容】
【０００９】
この発明によれば、スロープに沿って下方移動するフックに印刷版の先端を支持させて、印刷版をスロープに沿って案内する。このとき、印刷版の先端がフックに対して所定距離まで近接したときに、印刷版処理装置からの印刷版の送り出し速度よりも僅かに遅い速度でフックを下方移動させる。
これにより、印刷版の先端がフックに当接するときに、印刷版の先端部に衝撃等が加わるのを確実に防止することができる。
【手続補正５】
【補正対象書類名】明細書
【補正対象項目名】００１０
【補正方法】変更
【補正の内容】
【００１０】
サイズが大きい（送り出し方向に沿った長さが長い）印刷版では、印刷版が印刷版処理装置の排出口から離れたときには、先端が確実にフックに支持された状態となって下方へ送られるが、サイズ（送り出し方向に沿った長さ）が小さく支持体の板厚が比較的厚い印刷版では、撓みが少ないので、後端が印刷版処理装置の排出口から送り出されたときに、先端とフックとの距離があると、先端がフックへ向けて落下する挙動を起こすことがあるが、このときにも確実に印刷版をフックで受け止めることができる。
【手続補正６】
【補正対象書類名】明細書
【補正対象項目名】００１１
【補正方法】変更
【補正の内容】
【００１１】
なお、フックの下降を開始させるタイミングは、例えば、印刷版の先端がフックに対して約３０mm程度まで接近したときとすることができ、好ましい。このときのフックの下降速度である移動側は、印刷版処理装置での印刷版の送り出し速度よりも約３％程度低い速度であることが好ましい。
【手続補正７】
【補正対象書類名】明細書
【補正対象項目名】００１２
【補正方法】変更
【補正の内容】
【００１２】
請求項２に係る発明は、前記スロープの下端部に設けられたストッパによって前記スロープの下端部で前記案内移動手段の前記フックから前記印刷版の先端を受け取って支持することにより前記印刷版の下方移動を停止させて載置するフレームを含むことを特徴とする。
【手続補正８】
【補正対象書類名】明細書
【補正対象項目名】００１３
【補正方法】変更
【補正の内容】
【００１３】
この発明によれば、スロープを形成するフレームの下端にストッパを設け、フックに支持されてスロープに沿って下方移動する印刷版の先端を、ストッパによって受け取って支持させる。なお、ストッパは、樹脂、ゴムあるいは金属等によって形成したものを用いることができるが、印刷版が当接するときの衝撃を和らげるために樹脂又はゴムによって形成することが好ましい。
【手続補正９】
【補正対象書類名】明細書
【補正対象項目名】００１４
【補正方法】変更
【補正の内容】
【００１４】
請求項３に係る発明は、前記印刷版が立て掛けられて集積される背板と、前記背板に立て掛けられる前記印刷版の下端を支持する受け板と、前記印刷版が載置されている前記フレームを前記ストッパと一体で前記背板へ回動させることにより前記印刷版の下端を前記受け板へ受渡しながら前記背板へ向けて傾倒させる揺動手段と、を含むことを特徴とする。
【手続補正１０】
【補正対象書類名】明細書
【補正対象項目名】００１５
【補正方法】変更
【補正の内容】
【００１５】
この発明によれば、揺動手段は、ストッパが設けられているフレームを背板へ向けて回動させることにより、印刷版を背板に立て掛ける。このときに、フレームと一体にストッパを回動させながら、ストッパから受け板へ印刷版の先端を受け渡す。
これにより、印刷版が立った状態に近い傾斜状態でストッパから受け板に受け渡されるので、印刷版の先端が既に立て掛けられている印刷版と受け板の間へ入り込むことがなく、印刷版に湾曲等が生じることによる折れや曲がり等の損傷を生じさせることがない。
【手続補正１１】
【補正対象書類名】明細書
【補正対象項目名】００１６
【補正方法】変更
【補正の内容】
【００１６】
請求項４に係る発明は、前記ストッパが前記印刷版の移動方向と直交する方向に沿って所定間隔で複数設けられていると共に、前記受け板に前記複数のストッパのそれぞれに対向する切欠きが形成され、前記複数のストッパが前記揺動手段によって回動されるときに前記切欠きの間を通過して、前記受け板の下方へ移動することを特徴とする。
【手続補正１２】
【補正対象書類名】明細書
【補正対象項目名】００１９
【補正方法】変更
【補正の内容】
【００１９】
これにより、印刷版を背板へ向けて回動させるときに、フックがストッパから受け板への印刷版の先端の受渡しの妨げとならないので、ストッパから受け板へ印刷版を円滑に受け渡すことができる。
【手続補正１３】
【補正対象書類名】明細書
【補正対象項目名】００１５
【補正方法】変更
【補正の内容】
【００１５】
【発明の効果】
以上説明したように本発明によれば、印刷版の先端がフックに当接するときに衝撃が加わることがない。また、本発明は、揺動手段によって回動するフレームの下端に、印刷版の先端を当接させて支持するストッパを設けているので、既に背板に立て掛けられて集積されている印刷版の下端に、スロープ上を滑り落ちてくる印刷版の先端がもぐり込むのを防止でき、印刷版を背板へ向けて反転させるときに、下端となる印刷版の先端部に湾曲を生じさせることがない。これにより、印刷版の先端部に折れや曲がり等の損傷が生じるのを確実に防止しながら、印刷版を集積することができるという優れた効果が得られる。